(57)【特許請求の範囲】
【請求項１】
映像投写装置から投影光を反射ミラーで反射させてスクリーンの背面側から投影表示する背面投写型表示装置において、反射ミラー及びスクリーンは２つに分離されると共に、２つに分離された筐体内に夫々配置され、２つに分離された筐体は、夫々映像投写装置が固定されているベース部に設けられた垂直固定軸に回動自在に取付けられ、使用状態では、２つに分離された反射ミラー及びスクリーンの対向する辺が密着する位置まで夫々の筐体が回動して１つの反射ミラー及びスクリーンを形成し、収納状態では、反射ミラー及びスクリーンが２つに分離する位置まで夫々の筐体が回動するように構成されていることを特徴とする背面投写型表示装置。
【請求項２】
前記反射ミラー及びスクリーンは、左右対称に分離されるように構成されていることを特徴とする請求項１に記載の背面投写型表示装置。
【発明の詳細な説明】
【０００１】
【発明の属する技術分野】
この発明は、映像投影装置からの映像光をスクリーンの背面側に受け、スクリーンの正面側に位置する観察者に向けて映像光を発するようにした背面投写型表示装置に関する。
【０００２】
【従来の技術】
図４は、従来の背面投写型表示装置を示した概略の構成図である。この背面投写型表示装置は、筐体１０１内に配置された映像投写装置１０２、投影レンズ１０３、反射ミラー１０４および透過型の拡散スクリーン１０５により構成されている。映像投写装置１０２から出射された投影映像光は、投写レンズユニット１０３によって拡大投影され、反射ミラー１０４により反射され、透過型の拡散スクリーン１０５の背面側に入射される。観察者は、拡散スクリーン１０５の正面位置で映像を見ることができる。この種の背面投写型表示装置は、ブラウン管を画面とする構造に比べて、大画面化が容易であるという利点を有している。
【０００３】
【発明が解決しようとする課題】
しかしながら、上記の背面投写型表示装置は、投影表示によって大画面を得ることができるものの、拡散スクリーン１０５は投影される画像の大きさを必要とする。このため、装置を用いないときにも大きなスクリーンを有する背面投写型表示装置を置くスペースが必要となり、保管場所に広いスペースを要する。
【０００４】
この発明は、上述した従来の問題点を解決するためになされたものにして、保管時の設置スペースを少なくできる背面投写型表示装置を提供することをその目的とする。
【０００５】
【課題を解決するための手段】
この発明は、映像投写装置から投影光を反射ミラーで反射させてスクリーンの背面側から投影表示する背面投写型表示装置において、反射ミラー及びスクリーンは２つに分離されると共に、２つに分離された筐体内に夫々配置され、２つに分離された筐体は、夫々映像投写装置が固定されているベース部に設けられた垂直固定軸に回動自在に取付けられ、使用状態では、２つに分離された反射ミラー及びスクリーンの対向する辺が密着する位置まで夫々の筐体が回動して１つの反射ミラー及びスクリーンを形成し、収納状態では、反射ミラー及びスクリーンが２つに分離する位置まで夫々の筐体が回動するように構成されていることを特徴とする。
【０００６】
前記反射ミラー及びスクリーンは、左右対称に分離されるように構成されてもよい。
【０００７】
上記のように、少なくとも前記反射ミラー及びスクリーンを分離自在に取付けることにより、両者を分離した状態で収納することができるので、収納時の設置スペースを小さくすることができる。
【０００８】
【発明の実施の形態】
以下、この発明の実施の形態を図１乃至図３に基づいて説明する。この発明の背面投写型表示装置は、公共機関や会社などで、コミュニケーション表示装置、情報表示端末としての使用に好適である。
【０００９】
図１は、この発明の背面投写型表示装置の使用状態を示す斜視図、図２は収納状態を示す斜視図、図３は使用状態から収納状態までの変移を示す上面図である。
【００１０】
図に示すように、この実施の形態の背面投写型表示装置は、機器本体のベース部１に扇状に２つに折り曲げ可能な筐体２と、ベース部１に固定されたた映像投写装置３と、映像投写装置３から投写された映像光を全反射する全反射ミラー４と、この全反射ミラー４にて反射された映像光を背面側から受けて前面側に拡散出射する透過型の拡散スクリーン５とを備える。この全反射ミラー４及び拡散スクリーン５は後述するように、筺体２と共にベース部１に対して扇状に２つに折り曲げ可能に構成されている。
【００１１】
前記筺体２は、左側筺体２１と右側筺体２２とで構成され、ベース部１に設けられた垂直固定軸１１に回動自在に取り付けられ、この固定軸１１を中心にして開閉自在に取り付けられている。そして、左側筺体２１には、左側のスクリーン部５１及び左側反射ミラー４１が固定され、右側筺体２２には、右側のスクリーン部５２及び右側反射ミラー４２が固定されている。
【００１２】
前記映像投写装置３内には、液晶表示パネルと、ハロゲンランプ又はメタルハライドランプなどからなる光源と、投写レンズと、を備える。そして、液晶表示パネルのオン／オフを図示しない映像表示制御部で制御し、液晶表示パネルで変調された映像光が投写レンズから全反射ミラー４に向けて出射される。
【００１３】
上記筺体２には、図示しないロック機構が設けられ、図１に示す使用状態と、図２に示す収納状態とにそれぞれ保持できるようになっている。
【００１４】
そして、図１に示す使用状態で、筺体２をロックすると、反射ミラー４１、４２の対向する辺が密着し、一枚の全反射ミラー４となる。また、この時、スクリーン５１、５２も対向する辺が密着し、一枚の拡散スクリーン５となる。
【００１５】
この状態で、映像投写装置３から投写された映像光は、上記の全反射ミラー４にて拡散スクリーン５へと導かれる。
【００１６】
使用状態から収納状態への移行は、図３に示すように、図３（ａ）に示す状態でロック機構を解除し、筺体２１、２２を固定軸１１を中心として、図中後ろ側（矢印方向）に回動させる（同図（ｂ）参照）。そして、筺体２１、２２のそれぞれスクリーン５１、５２とは反対側の背面が接した状態でロック機構により両筺体２１、２２を固定する（同図（ｃ）参照）。このようにして、図１に示す使用状態から図２に示す収納状態になる。
【００１７】
このように拡散スクリーン５及び全反射ミラー４が半分に折り曲げられた状態で収納状態となる。このため、収納するスペースを少なくすることができる。
【００１８】
収納状態から使用状態への移行は、上記とは逆に筺体２１、２２を拡げる方向に回動させ、図１の状態になるようにすればよい。
【００１９】
上記した実施の形態では、収納状態が、スクリーン５１、５２の背面側の筺体２１、２２が接するように構成しているが、スクリーン５１、５２の面側が接する方向に収納できるように、筺体２１、２２をベース部１に取り付けてもよい。
【００２０】
【発明の効果】
以上説明したように、この発明によれば、スクリーン及び反射ミラーが分離自在に構成されているので、収納時の設置スペースを大幅に削減でき、収納が容易になる。
【図面の簡単な説明】
【図１】この発明の背面投写型表示装置の使用状態を示す斜視図である。
【図２】この発明の背面投写型表示装置の収納状態を示す斜視図である。
【図３】この発明の背面投写型表示装置の使用状態から収納状態までの変移を示す上面図である。
【図４】従来の背面投写型表示装置の概略断面図である。
【符号の説明】
１    ベース部
１１  固定軸
２    筺体
２１  左側筺体
２２  右側筺体
３    映像投写装置
４    全反射ミラー
４１  左側反射ミラー
４２  右側反射ミラー
５    拡散スクリーン
５１  左側スクリーン
５２  右側スクリーン
【図１】
0004208318.tif 000002
【図２】
0004208318.tif 000003
【図３】
0004208318.tif 000004
【図４】
0004208318.tif 000005